(57)【要約】【課題】  無縫製でかつ充分に伸びることも可能な襠を有する筒状編地の編成方法および編地を提供する。【解決手段】  左右の袖部１３Ｌ，１３Ｒと、その中間の身頃１２とを、下端側から接合部分近傍までそれぞれ編成する。各袖部１３Ｌ，１３Ｒおよび身頃１２は、前側部分１３ＬＦ，１３ＲＦ；１２Ｆと後側部分１３ＬＢ，１３ＲＢ；１２Ｂを幅の両側で連結しながら、それぞれ筒状に編成する。袖部１３Ｌ，１３Ｒの身頃１２への接合部分近傍で、左右の襠部１４Ｌ，１４Ｒとなる襠編地の編出しを開始する。襠部１４Ｌ，１４Ｒを、前側１４ＬＦ，１４ＲＦと後側１４ＬＢ，１４ＲＢとでそれぞれ編幅を減少させながら、大略的に菱形の形状となるように編成するので、前後の襠部１４Ｌ，１４Ｒは一体的に形成され、境界部分に伏目を形成しないので、コース方向の伸びを充分に確保することができる。【選択図】      図１１
2006152506.tif 000002
【特許請求の範囲】
【請求項１】
前後に少なくとも一対の対向する針床を備えて、前後の針床間の目移しとラッキングとが可能な横編機で、前後の針床でそれぞれ編成する編地を両端で連結しながら、接合部分には襠編地を形成して、襠を有する筒状編地を無縫製で編成する方法であって、
接合する複数の筒状編地を、先端から接合部分近傍までそれぞれ編成し、
接合部分近傍では襠編地の編出しも開始し、
襠編地を、前襠編地と後襠編地とでそれぞれ編幅を減少させながら、大略的に菱形の形状となるように編成し、
筒状編地間を襠編地を介して接合することを特徴とする襠を有する筒状編地の編成方法。
【請求項２】
前記襠編地の編成コース数と、襠編地に接合する部分の筒状編地の編成コース数との比率を、１：１よりも、襠編地側が小さくなるようにして、襠編地をアーチ状に窪ませることを特徴とする請求項１記載の襠を有する筒状編地の編成方法。
【請求項３】
前記比率は、前記前襠編地と前記後襠編地とで等しいことを特徴とする請求項２記載の襠を有する筒状編地の編成方法。
【請求項４】
前記比率は、前記前襠編地と前記後襠編地とで異なることを特徴とする請求項２記載の襠を有する筒状編地の編成方法。
【請求項５】
前記前襠編地と前記後襠編地とは、編出し部分の編幅が異なることを特徴とする請求項１〜４のいずれか１つに記載の襠を有する筒状編地の編成方法。
【請求項６】
前記筒状編地間の接合は、接合すべき複数の筒状編地と前記前後の襠編地とを、同時に編成しながら行うことを特徴とする請求項１〜５のいずれか１つに記載の襠を有する筒状編地の編成方法。
【請求項７】
前記筒状編地間の接合は、前記前後の襠編地を引返し編みにて先に編成して、前記針床の編針に各襠編地の接合部分を係止しておき、その他の部分は引返し編みとは異なる給糸口を用いて、各筒状編地を編成しながら行うことを特徴とする請求項１〜５のいずれか１つに記載の襠を有する筒状編地の編成方法。
【請求項８】
前記筒状編地は人体の上半身に着用され、
前記襠編地は、筒状編地の袖と身頃との間に形成することを特徴とする請求項１〜７のいずれか１つに記載の襠を有する筒状編地の編成方法。
【請求項９】
請求項１〜８のいずれか１つに記載の襠を有する筒状編地の編成方法で製造されることを特徴とする編地。
【発明の詳細な説明】
【技術分野】
【０００１】
本発明は、人体に装着する衣服などを、無縫製の筒状の編地として編成し、関節などに対応する部分に襠を形成して動きやすくするための襠を有する筒状編地の編成方法および編地に関する。
【背景技術】
【０００２】
従来から、人体に装着する衣服では、前部と後部とがそれぞれ外部に膨らむような大略的に筒状の形状となっている。前後に少なくとも一対の対向する針床を備えて、前後の針床間の目移しとラッキングとが可能な横編機では、筒状の編地を無縫製で製造することができる。前後の針床にそれぞれ編地がかかっている状態で、前後の編地を周回するように編糸を供給すれば、前後の編地が編幅の両端で連結しながら、全体として筒状の編地を無縫製で製造することができる（たとえば、特許文献１〜３参照。）。これらの特許文献１〜３には、セーターなど、人体の上半身に着用するニット製品で身頃の部分と袖との間に襠（マチ）を形成しながら、筒状の編地を無縫製で編成する技術が開示されている。パンツなどの人体の下半身に着用するニット製品を、両脚間に襠を形成しながら、筒状の編地で無縫製で形成することも可能である（たとえば、特許文献４参照。）。
【０００３】
図１７は、横編機で編成される編地の形状を、基本的な平編みの場合について示す。針床の長手方向にキャリッジが移動して編針の編成作用が行われると、Ｃで示すコースの方向に編目ループの連なりが形成される。各編目ループは、キャリッジの通過前に編針に係止されていた編目ループをノックオーバさせて、コース方向に直交し、Ｗで示すウェールの方向にも連なるようになる。このような編地の基本的な性質として、コース方向には伸びやすく、ウェール方向には伸び難いことが知られている。特許文献１〜４の先行技術で形成される襠は、筒状編地間の接合を前後方向に連続して行う過程で形成され、筒状編地同士の境界部分には、各筒状編地のコース方向に連なる伏目が編成される。特許文献２では、筒状編地間の連結部分に孔が明かず、伸びがあるとともに引張り強度も大きくなるように、渡り糸が生じるような編成が行われるようにしている。
【０００４】
襠として編地を編成する技術も知られている（たとえば、特許文献５参照。）特許文献５の請求項１には、無縫製ニットパンツを胴部を先に形成し、中央部の股の部分では、「左右に編み目を割り込ませながら周回編成して略三角形状の割増部（１７ａ）を形成」し、「左右外側から内側に向かって次第に編み目を止め保持しながら周回編成して逆三角形状の割増部（１７ｂ）を形成」し、「次いで股下部（１５）を周回編成する際に、前記割増部（１７ｂ）の下端の編み目数を保ちながら股下部（１５）の内側部分に割増部（１７ｃ）を形成」する旨が記載されている。
【０００５】
なお、肌着などの縫製による衣服の製造では、立体裁断に基づいて生地を裁断する原形を作る技術が用いられている。このような立体裁断では、襠の部分に独立した生地が当てられる。パンティストッキングやタイツについて、筒状編地の接合部分にマチを縫着させる技術も知られている（たとえば、特許文献６参照。）。
【０００６】
【特許文献１】国際公開第０１／０８８２４３号パンフレット
【特許文献２】国際公開第２００２／０６３０８５号パンフレット
【特許文献３】国際公開第０３／０３１７０７号パンフレット
【特許文献４】国際公開第２００４／０６３４４７号パンフレット
【特許文献５】特許第３４０３７２０号公報
【特許文献６】特開平９−７８３０９号公報
【発明の開示】
【発明が解決しようとする課題】
【０００７】
特許文献１〜４に開示されているような技術を使用すれば、セーターなどの袖と身頃との間やパンツなどの股のような接合部分に襠を持つ立体的なニット製品を無縫製で製造することができる。これらの襠を持つニット製品を着用すると、着用者は充分なゆとりを感じることができる。しかしスポーツ等の用途における腕や脚の動作では、さらなるゆとりや伸びが要求されることもある。特許文献２の技術では、襠の部分に渡り糸を付加し、補強を行うことはできるけれども、伸びは得られない。特許文献５の技術では、脚部の内側にも襠を延長させるので、襠となる部分が大きくなってしまう。特許文献６の技術では、襠の部分を別生地として、縫着しなければならず、無縫製ではなく、手間がかかってしまう。
【０００８】
本発明の目的は、無縫製でかつ充分に伸びることも可能な襠を有する筒状編地の編成方法および編地を提供することである。
【課題を解決するための手段】
【０００９】
本発明は、前後に少なくとも一対の対向する針床を備えて、前後の針床間の目移しとラッキングとが可能な横編機で、前後の針床でそれぞれ編成する編地を両端で連結しながら、接合部分には襠編地を形成して、襠を有する筒状編地を無縫製で編成する方法であって、
接合する複数の筒状編地を、先端から接合部分近傍までそれぞれ編成し、
接合部分近傍では襠編地の編出しも開始し、
襠編地を、前襠編地と後襠編地とでそれぞれ編幅を減少させながら、大略的に菱形の形状となるように編成し、
筒状編地間を襠編地を介して接合することを特徴とする襠を有する筒状編地の編成方法である。
【００１０】
また本発明では、前記襠編地の編成コース数と、襠編地に接合する部分の筒状編地の編成コース数との比率を、１：１よりも、襠編地側が小さくなるようにして、襠編地をアーチ状に窪ませることを特徴とする。
【００１１】
また本発明で、前記比率は、前記前襠編地と前記後襠編地とで等しいことを特徴とする。
【００１２】
また本発明で、前記比率は、前記前襠編地と前記後襠編地とで異なることを特徴とする。
【００１３】
また本発明で、前記前襠編地と前記後襠編地とは、編出し部分の編幅が異なることを特徴とする。
【００１４】
また本発明で、前記筒状編地間の接合は、接合すべき複数の筒状編地と前記前後の襠編地とを、同時に編成しながら行うことを特徴とする。
【００１５】
また本発明で、前記筒状編地間の接合は、前記前後の襠編地を引返し編みにて先に編成して、前記針床の編針に各襠編地の接合部分を係止しておき、その他の部分は引返し編みとは異なる給糸口を用いて、各筒状編地を編成しながら行うことを特徴とする。
【００１６】
また本発明で、前記筒状編地は人体の上半身に着用され、
前記襠編地は、筒状編地の袖と身頃との間に形成することを特徴とする。
【００１７】
さらに本発明は、前述のいずれか１つに記載の襠を有する筒状編地の編成方法で製造されることを特徴とする編地である。
【発明の効果】
【００１８】
本発明によれば、襠を有する筒状編地を、前後に少なくとも一対の対向する針床を備えて、前後の針床間の目移しとラッキングとが可能な横編機で、無縫製で編成することができる。接合する複数の筒状編地を、先端から接合部分近傍までそれぞれ編成し、接合部分近傍では襠編地の編出しも開始し、襠編地を、前襠編地と後襠編地とでそれぞれ編幅を減少させながら、大略的に菱形の形状となるように編成するので、前後の襠編地は一体的に形成され、境界部分に伏目を形成しないので、コース方向の伸びを充分に確保することができる。大略的に菱形の襠編地を形成しながら、筒状編地間を襠編地を介して接合するので、前後の襠編地と筒状編地との接合も円滑に行うことができ、接合部が伸びを阻害しないようにすることができる。
【００１９】
また本発明によれば、前記襠編地の編成コース数と、襠編地に接合する部分の筒状編地の編成コース数との比率を、１：１よりも、襠編地側が小さくなるようにする。前後の襠編地側で接合される部分は、筒状編地によってウェール方向に引き伸ばされ、前後の襠編地で形成する菱形の中央部分が湾曲するように引張られ、アーチ状に窪む曲面形状の襠を形成することができる。
【００２０】
また本発明によれば、前襠編地と後襠編地とは、各襠編地が接合される筒状編地に対してコース数が少なくなる比率が等しいので、同等のアーチ状の窪みを形成することができる。
【００２１】
また本発明によれば、前襠編地と後襠編地とは、各襠編地が接合される筒状編地に対してコース数が少なくなる比率が異なるので、深さの異なるアーチ状の窪みを形成することができる。
【００２２】
また本発明によれば、前襠編地と後襠編地とは、編出し部分の編幅が異なるので、くり違いを有する襠を形成することができる。
【００２３】
また本発明によれば、接合すべき複数の筒状編地と前後の襠編地とを、同時に編成しながら行うので、編糸の供給を一つの給糸口から行いながら、筒状編地と前後の襠編地とを連続して形成することができる。
【００２４】
また本発明によれば、筒状編地間の接合は、前後の襠編地を引返し編みにて先に編成して行うので、襠編地や筒状編地に異なる編糸を使用して編成することもできる。
【００２５】
また本発明によれば、筒状編地は人体の上半身に着用され、襠編地は、筒状編地の袖と身頃との間に形成するので、セータなどで、着用後に腕を充分に大きく上げることが可能となる。
【００２６】
さらに本発明によれば、前述のいずれか１つに記載の襠を有する筒状編地の編成方法で製造される編地であるので、人体などに着用し、腕や脚と胴体との間の大きな動きを許容して、良好な着用感が得られるようにすることができる編地を、無縫製で編成することができる。
【発明を実施するための最良の形態】
【００２７】
図１は、本発明の実施の一形態としての襠を有する筒状編地の編成方法で形成されるニット製品の一例であるパンツ１での編地のレイアウトを示す。パンツ１は、大略的に胴部２と脚部３とからなる。胴部２は一つの筒状編地として編成される。脚部３は、左右の脚部３Ｌ，３Ｒとして、それぞれ筒状に形成される。左右の脚部３Ｌ，３Ｒは、襠部４を挟んで胴部２に接合される。
【００２８】
このようなパンツ１などの襠を有する筒状編地は、正面から見て歯口の前後に少なくとも一対の対向する針床を備え、前後の針床間の目移しとラッキングとが可能な横編機で編成することができる。前後の針床でそれぞれ編成する編地を両端で連結すれば、筒状の編地を形成することができる。針床が前後で一対設けられる２枚ベッドの横編機を用いる場合には、各針床でたとえば１本おきの編針を使用してその針床では表目を編む編地を編成し、中間の編針を空針として使用して、対向する針床で表目を編成する編地に対する裏目やリブ編みの編成、目移し時の係止などに使用する。針床が前後で上下２段ずつ設けられる４枚ベッドの横編機を用いる場合には、前側編地を下部前針床と上部後針床の編針で編成し、同様に後側編地を下部後針床と上部前針床の編針を使用して編成することができるので、２枚ベッド横編機のように空針を設ける必要はなく、また、リンクス、ガーター、リブなどの表目と裏目とが混在した組織柄を編成したり、前後の編地について編目をコース方向に移動させて互いに接合したりすることができるようになっている。筒状の編地の接合部分に襠編地を形成するようにすれば、襠を有する筒状編地を無縫製で編成することができる。
【００２９】
図１のパンツ１を製造する場合、まず、接合する複数の筒状編地となる左右の脚部３Ｌ，３Ｒを、先端から接合部分近傍までそれぞれ編成する。各脚部３Ｌ，３Ｒは、前側部分３ＬＦ，３ＲＦと後側部分３ＬＢ，３ＲＢを幅の両側で連結しながら、それぞれ筒状に編成する。脚部３Ｌ，３Ｒの接合部分近傍では襠部４となる襠編地の編出しも開始する。編成に使用する横編機に、編地を歯口下方に押し下げる機能を有する可動のシンカが備えられていたり、部分的な編地の引き下げが可能な機構が備えられていれば、脚部３Ｌ，３Ｒの編成の途中から襠編地を編出すことができる。脚部３Ｌ，３Ｒの編成とともに捨て編みを行っておけば、捨て編みされた編地を介して、襠部４を脚部３Ｌ，３Ｒとともに歯口下方へ引き下ろすことができる。
【００３０】
図２は、図１のパンツ１を編成する際に、脚部３Ｌ，３Ｒの接合部分近傍で襠部４の編成を行いながら編地間の接合を行うための基本的な糸回しを示す。本図および図３以下に示す糸回しに関連する各図では、説明の便宜上、脚部３および襠部４は、前側の編地となる脚部３ＬＦ，３ＲＦおよび襠部４Ｆを前針床で、後側の編地となる脚部３ＬＢ，３ＲＢおよび襠部４Ｂを後針床で、それぞれ編成する状態で示しているけれども、各編地の編成は、前述のように、前後の針床を使用して行うことができる。また、針床の左右は横編機の正面から見た状態で示し、針床の左側部分で編成される編地の右側部分（脚部３Ｒ）が係止され、針床の右側部分に編成される編地の左側部分（脚部３Ｌ）が係止されるものとする。糸回しの説明で給糸する位置は、針床を基準に示す。
【００３１】
まず、最初のコースＡ１では、右側の脚部３Ｒの後側３ＲＢの編地を編成するために、編幅の外端側から内端側の方向へと編糸を給糸する。次のコースＡ２では、右後側の脚部３ＲＢの編地を編成するために、編幅の内端側から外端側の方向へと編糸を給糸する。次のコースＡ３では、前側の針床に編糸を回し、右側の脚部３Ｒの前側３ＲＦの編地を編成するために、編幅の外端側から内端側の方向へと編糸を給糸する。次のコースＡ４では、右前側の脚部３ＲＦの編地を編成するために、編幅の内端側から外端側の方向へと編糸を給糸する。次のコースＡ５では、後側の針床に編糸を回し、右側の脚部３Ｒの後側３ＲＢ、後側の襠部４Ｂおよび左後側の脚部３ＬＢの編地を連続して編成するために、編幅の左側の外端側から右側の外端側の方向へと編糸を給糸する。
【００３２】
次のコースＡ６では、前側の針床に編糸を回し、左側の脚部３Ｌの前側３ＬＦの編地を編成するために、編幅の外端側から内端側の方向へと編糸を給糸する。次のコースＡ７では、左前側の脚部３ＬＦの編地を編成するために、編幅の内端側から外端側の方向へと編糸を給糸する。次のコースＡ８では、後側の針床に編糸を回し、左側の脚部３Ｌの後側３ＬＢの編地を編成するために、編幅の外端側から内端側の方向へと編糸を給糸する。次のコースＡ９では、左後側の脚部３ＬＢの編地を編成するために、編幅の内端側から外端側の方向へと編糸を給糸する。次のコースＡ１０では、前側の針床に編糸を回し、左側の脚部３Ｌの前側３ＬＦ、前側の襠部４Ｆおよび右前側の脚部３ＲＦの編地を連続して編成するために、編幅の右側の外端側から左側の外端側の方向へと編糸を給糸する。
【００３３】
以上で説明するような糸回しは、一筆書きでスタート位置に戻るように行えばよい。ただし、襠部４を編成するコース数と脚部３を編成するコース数との比は、１：３となり、１：１よりも襠部４のコース数の比率が低くなるようにしている。これによって、以下に説明するように、編成された襠部４をアーチ型に窪む曲面とすることができる。
【００３４】
図３は、図２に示す糸回しとともに、前後の針床間での目移しやラッキングを併用して、左右の脚部３Ｌ，３Ｒを襠部４を介して接合していく過程を示す。前針床は右下がりの斜線を施して示し、後針床は右上がりの斜線を施して示す。脚部３を３コース編成し、襠部４を１コース編成する間に、左右の脚部３Ｌ，３Ｒを合計２目ずつ、編幅の内側に寄せるように成型する。なお、脚部３および襠部４として示す編目の数は説明の便宜のための例を示す。実際に編成する襠部４は、編み出し部での編目数で、たとえば株式会社島精機製作所の製品であるＳＷＧ−Ｘ型の４枚ベッド横編機で１２ゲージのものを使用すると、４０目程度となる。
【００３５】
なお、図２および図３に示す糸回しおよび編成は、１サイクルについてを示すものである。前後の襠部４Ｆ，４Ｂは、一定数のサイクル毎に目減らしを行い、編出し部を底辺とする三角形の形状に編成される。前後の襠部４Ｆ，４Ｂが編出し部で連結される襠部４全体では、所望の菱形の形状に編成することができる。また、前述の１：３の比率の糸回しに、１：１の周回編成を加えれば、１：２（２：４）の比率にすることができる。
【００３６】
図４は、図１のパンツ１の編成後の状態を示す。左右の脚部３Ｌ，３Ｒの接合部に、襠部４を無縫製で形成することができる。襠部４は、表面がアーチ５のように窪み、脚部３Ｌ，３Ｒ間を円滑に接合することができる。アーチ５が形成されるのは、襠部４の編地の編成コース数と、襠部４に接合する脚部３Ｌ，３Ｒの部分の筒状編地の編成コース数との比率を、１：１よりも、襠部４側が小さくなるようにしているからである。脚部３Ｌ，３Ｒの筒状編地と前後の襠部４Ｆ，４Ｂの編地との接合過程では、脚部３Ｌ，３Ｒ側に前後の襠部４Ｆ，４Ｂとは接合しないコースが生じ、前後の襠部４Ｆ，４Ｂ側は各コースがそれぞれ脚部３Ｌ，３Ｒに接合される。前後の襠部４Ｆ，４Ｂ側で接合される部分は、脚部３Ｌ，３Ｒによってウェール方向に引き伸ばされ、前後の襠部４Ｆ，４Ｂで形成する菱形の中央部分が湾曲するように引張られ、曲面形状の襠を形成することができる。
【００３７】
図５は、図１のパンツ１を編成する際に、襠部４の編地の編成コース数と、襠部４に接合する脚部３Ｌ，３Ｒの部分の筒状編地の編成コース数との比率を、１：１とする糸回しの例を示す。図３と同様な成型も行うことになるので、左右の脚部３Ｌ，３Ｒと襠部４とを編成するコース数の比率は、３：３：３となるような一筆書きの糸回しを行う。
【００３８】
まず、最初のコースＢ１では、右側の脚部３Ｒの後側３ＲＢの編地を編成するために、編幅の外端側から内端側の方向へと編糸を給糸する。次のコースＢ２では、右後側の脚部３ＲＢの編地を編成するために、編幅の内端側から外端側の方向へと編糸を給糸する。次のコースＢ３では、前側の針床に編糸を回し、右側の脚部３Ｒの前側３ＲＦの編地を編成するために、編幅の外端側から内端側の方向へと編糸を給糸する。次のコースＢ４では、右前側の脚部３ＲＦの編地を編成するために、編幅の内端側から外端側の方向へと編糸を給糸する。次のコースＢ５では、後側の針床に編糸を回し、右側の脚部３Ｒの後側３ＲＦおよび後側の襠部４Ｂの編地を連続して編成するために、編幅の左側の外端側から右側の内端側の方向へと編糸を給糸する。次のコースＢ６では、後側の襠部４Ｂを編成するために、右側の内端側から左側の内端側の方向へと編糸を給糸する。次のコースＢ７では、後側の襠部４Ｂおよび左後側の脚部３ＬＢを連続して編成するために、編幅の左側の内端側から右側の外端側の方向へと編糸を給糸する。
【００３９】
次のコースＢ８では、前側の針床に編糸を回し、左側の脚部３Ｌの前側３ＬＦの編地を編成するために、編幅の外端側から内端側の方向へと編糸を給糸する。次のコースＢ９では、左前側の脚部３ＬＦの編地を編成するために、編幅の内端側から外端側の方向へと編糸を給糸する。次のコースＢ１０では、後側の針床に編糸を回し、左側の脚部３Ｌの後側３ＬＢの編地を編成するために、編幅の外端側から内端側の方向へと編糸を給糸する。次のコースＢ１１では、左後側の脚部３ＬＢの編地を編成するために、編幅の内端側から外端側の方向へと編糸を給糸する。次のコースＢ１２では、前側の針床に編糸を回し、前左側の脚部３ＬＦおよび前側の襠部４Ｆの編地を連続して編成するために、編幅の右側の外端側から左側の内端側の方向へと編糸を給糸する。次のコースＢ１３では、前側の襠部４Ｆを編成するために、左側の内端側から右側の内端側の方向へと編糸を給糸する。次のコースＢ１４では、前側の襠部４Ｆおよび右前側の脚部３ＲＦを連続して編成するために、編幅の右側の内端側から左側の外端側の方向へと編糸を給糸する。
【００４０】
図６は、図５の糸回しで編成したパンツ１の編成後の状態を示す。襠部４に接合する脚部３Ｌ，３Ｒの部分の筒状編地の編成コース数との比率を、１：１としているので、図４に示すようなアーチ５は形成されず、ゆとりを持った襠部４を形成することができる。
【００４１】
図７は、図１のパンツ１を編成する際に、脚部３Ｌ，３Ｒの接合部分近傍で襠部４の編成を行いながら編地間の接合を行うための糸回しのさらに他の例を、図２と同様に示す。まず、最初のコースＣ１から９番目のコースＣ９までは、図２のコースＡ１からコースＡ９までの各コースとそれぞれ同様に行う。次のコースＣ１０では、前側の針床に編糸を回し、左側の脚部３Ｌの前側３ＬＦおよび前側の襠部４Ｆの編地を連続して編成するために、編幅の右側の外端側から左側の内端側の方向へと編糸を給糸する。次のコースＣ１１では、前側の襠部４Ｆを編成するために、編幅の左側の内端部から右側の内端部の方向へと編糸を供給する。次のコースＣ１２では、前側の襠部４Ｆおよび右前側の脚部３ＲＦの編地を連ねて編成するために、編幅の右側の外端側から左側の外端側の方向へと編糸を給糸する。
【００４２】
図８は、図７に示す糸回しとともに、前後の針床間での目移しやラッキングを併用して、左右の脚部３Ｌ，３Ｒを襠部４を介して接合していく過程を示す。脚部３を３コース編成する間に、襠部４は前側を３コース、後側を１コース編成する。この間に、左右の脚部３Ｌ，３Ｒを合計２目ずつ、編幅の内側に寄せるように成型する点は、図３と同様である。襠部４の前側４Ｆについては図６と同様なゆとりを持たせることができるので、メンズ用のパンツ１として好ましい場合もある。襠部４の後側４Ｂについては、 図４と同様な窪みを形成することができる。襠部４の前側４Ｆの方の比率を１：１よりも小さくし、後側４Ｂを１：１とすることもできる。
【００４３】
図９は、図１のパンツ１を編成する際に、脚部３Ｌ，３Ｒの接合部分近傍で襠部４の編成を行いながら編地間の接合を行うための糸回しのさらに他の例を示す。糸回しについてのコースＤ１〜Ｄ１０は、図２のコースＡ１〜Ａ１０とそれぞれ同様に行う。ただし、襠部４は、前側４Ｆよりも後側４Ｂの方が幅が広くなるように形成する。パンツ１の股部分などに前後のくりに違いを設けることができる。
【００４４】
図１０は、図９に示す糸回しとともに、前後の針床間での目移しやラッキングを併用して、左右の脚部３Ｌ，３Ｒを襠部４を介して接合していく過程を、図２と同様に示す。くりの違いは、前側の襠部４Ｆの幅Ｗ４Ｆよりも後側の襠部４Ｂの幅Ｗ４Ｂを大きく（Ｗ４Ｆ＜Ｗ４Ｂ）することによって実現される。このようなくりの違いを除いて、糸回しを図３と同様に行って、前後の襠部４Ｆ，４Ｂの脚部３Ｌ，３Ｒに対するコース数の比率を、１：３にすることができる。糸回しを図５と同様に行えば、コース数の比率を１：１にすることもできる。
【００４５】
図１１は、本発明の実施の他の形態としての襠を有する筒状編地の編成方法で形成されるニット製品の一例であるセータ１１での編地のレイアウトを示す。セータ１１は、大略的に身頃１２と袖部１３とからなる。身頃１２は一つの筒状編地として編成される。袖部１３は、左右の袖部１３Ｌ，１３Ｒとして、それぞれ筒状に形成され、身頃１２と接合し、１つの筒状編地となる。各袖部１３Ｌ，１３Ｒが身頃１２に接合する部分には、襠部１４が設けられる。左右の袖部１３Ｌ，１３Ｒ側から見れば、各袖部１３Ｌ，１３Ｒは、左右の襠部１４Ｌ，１４Ｒを挟んで身頃１２にそれぞれ接合される。
【００４６】
図１１のセータ１１を製造する場合、まず、接合する複数の筒状編地となる左右の袖部１３Ｌ，１３Ｒと、その中間の身頃１２とを、下端側から接合部分近傍までそれぞれ編成する。各袖部１３Ｌ，１３Ｒは、前側部分１３ＬＦ，１３ＲＦと後側部分１３ＬＢ，１３ＲＢを幅の両側で連結しながら、それぞれ筒状に編成する。身頃１２も、前側部分１２Ｆと後側部分１２Ｂとを幅の両側で連結しながら筒状に編成する。袖部１３Ｌ，１３Ｒの身頃１２への接合部分近傍では左右の襠部１４Ｌ，１４Ｒとなる襠部１４の編地の編出しも、図１の襠部４と同様にそれぞれ開始する。
【００４７】
図１２は、図１１のセータ１１を編成する際に、左右の袖部１３Ｌ，１３Ｒの身頃１２への接合部分近傍で左右の襠部１４Ｌ，１４Ｒの編成を行いながら編地間の接合を行うための基本的な糸回しを、図２と同様に示す。図１２（ａ）は、襠部１４Ｌ，１４Ｒと、袖部１３Ｌ，１３Ｒおよび身頃１２とを編成するコース数の比率を、図２と同様に１：３とする場合について示す。図１２（ｂ）は、そのコース数の比率を、図５と同様に１：１とする場合について示す。なお、襠部１４は、１×１リブ編みなどのコース方向に伸びやすい編地を編成することもできる。
【００４８】
図１２（ａ）に示すような１：３のコース数の比率の場合、まず、最初のコースＥ１では、右側の袖部１３Ｒの後側１３ＲＢの編地を編成するために、編幅の外端側から内端側の方向へと編糸を給糸する。次のコースＥ２では、右後側の袖部１３ＲＢの編地を編成するために、編幅の内端側から外端側の方向へと編糸を給糸する。次のコースＥ３では、前側の針床に編糸を回し、右側の袖部１３Ｒの前側１３ＲＦの編地を編成するために、編幅の外端側から内端側の方向へと編糸を給糸する。次のコースＥ４では、右前側の袖部１３ＲＦの編地を編成するために、編幅の内端側から外端側の方向へと編糸を給糸する。次のコースＥ５では、後側の針床に編糸を回し、右側の袖部１３Ｒの後側１３ＲＢ、右側の襠部１４Ｒの後側１４ＲＢおよび後側の身頃１２Ｂの編地を連続して編成するために、右側の袖部１３Ｒの編幅の左側の外端側から身頃１２の編幅の右側の外端側の方向へと編糸を給糸する。次のコースＥ６では、後側の身頃１２Ｂを編成するために、身頃１２の編幅の右側の外端側から左側の外端側に編糸を給糸する。次のコースＥ７では、身頃１２の後側１２Ｂ、左側の襠部１４Ｌの後側１４ＬＢおよび左側の袖部１３Ｌの後側１３ＬＢの編地を連続して編成するために、身頃１２の編幅の左側の外端側から左側の袖部１３Ｌの編幅の右側の外端側の方向へと編糸を供給する。
【００４９】
次のコースＥ８では、前側の針床に編糸を回し、左側の袖部１３Ｌの前側１３ＬＦの編地を編成するために、編幅の外端側から内端側の方向へと編糸を給糸する。次のコースＥ９では、左側の袖部１３Ｌの前側１３ＬＦの編地を編成するために、編幅の内端側から外端側の方向へと編糸を供給する。次のコースＥ１０では、後側の針床に編糸を回し、左側の袖部１３Ｌの後側１３ＬＢの編地を編成するために、編幅の外端側から内端側の方向へと編糸を供給する。次のコースＥ１１では、左側の袖部１３Ｌの後側１３ＬＢの編地を編成するために、編幅の内端側から外端側の方向へと編糸を供給する。次のコースＥ１２では、前側の針床に編糸を回し、左側の袖部１３Ｌの前側１３ＬＦ、左側の襠部１４Ｌの前側１４ＬＦおよび身頃１２の前側１２Ｆの編地を連続して編成するために、左側の袖部１３Ｌの編幅の右側の外端側から身頃１２の編幅の左側の外端側の方向へと編糸を供給する。次のコースＥ１３では、前側の身頃１２Ｆの編地を編成するために、編幅の左側の外端側から右側の外端側の方向へと編糸を給糸する。次のコースＥ１４では、前側の身頃１２Ｆ、右前側の襠部１４ＲＦおよび右前側の袖部１３ＲＦの編地を連続して編成するために、身頃１２の編幅の右側の外端側から右側の袖部１３Ｒの編幅の左側の外端側の方向へと編糸を給糸する。
【００５０】
図１２（ｂ）に示すような１：１のコース数の比率の場合、まず、最初のコースＦ１から最後のコースＦ１４まで、基本的な糸回しの方向は、図１２（ａ）の最初のコースＥ１から最後のコースＥ１４までとそれぞれ同様に行うことができる。ただし、コースＦ５は、コースＥ５よりも、左側の襠部１４Ｌの後側１４ＬＢまで延長する。コースＦ６では、コースＥ６よりも先行して、左側の襠部１４Ｌの後側１４ＬＢから開始し、右側の襠部１４Ｒの後側１４ＲＢまで延長する。コースＦ７は、コースＥ７よりも先行して、右側の襠部１４Ｒの後側１４ＲＢから開始する。
【００５１】
またコースＦ１２は、コースＥ１２よりも、右側の襠部１４Ｒの前側１４ＲＦまで延長する。コースＦ１３は、コースＥ１３よりも先行して、右側の襠部１４Ｒの前側１４ＲＦから開始し、左側の襠部１４Ｌの前側１４ＬＦまで延長する。コースＦ１４は、コースＥ１４よりも先行し、左側の襠部１４Ｌの前側１４ＬＦから開始する。
【００５２】
図１３は、図１２に示すような糸回しで接合部が編成されるセータ１１の概略的な形状を示す。図１３の（ａ），（ｂ）は、それぞれ、図１２の（ａ），（ｂ）に対応する。図１３（ａ）では、襠部１４のコース数の比率を、身頃１２および袖部１３Ｌ，１３Ｒに対して１：１よりも小さくしているので、各襠部１４Ｌ，１４Ｒは図４の襠部４に形成されるアーチ５と同様なアーチ１５が形成されるように窪み、袖部１３Ｌ，１３Ｒと身頃１２とが曲面で円滑に接合される。図１３（ｂ）では、図６と同様に、襠部１４Ｌ，１４Ｒに窪みは形成されず、ゆとりをもたせることができる。なお、図７と同様に、前後でコース数の比率を変えるような糸回しを行うこともできる。さらに、図９と同様に、前後でくり違いを設けることもできる。
【００５３】
また、以上で説明している実施の各形態での筒状編地間の接合は、接合すべき複数の筒状編地と前後の襠編地とを、同時に編成しながら行うので、編糸の供給を一つの給糸口から行っても、筒状編地と前後の襠編地とを連続して形成することができる。
【００５４】
図１４は、本発明の実施のさらに他の形態としての襠を有する筒状編地の編成方法での襠の形成段階を示す。まず、図１４（ａ）に示すように、編糸２０を給糸口２１から供給して、たとえば全体として反時計回り方向の引返し編みを行い、前後左右の襠部２４ＬＦ，２４ＬＢ，２４ＲＦ，２４ＲＢを先に編成する。すなわち、筒状編地間の接合は、前後の襠部２４Ｆ，２４Ｂの襠編地を引返し編みにて先に編成して、その他の部分の編成を、針床の編針に各襠編地の接合部分を係止しておき、各襠編地の接合部分が係止されている編針を用いて、各筒状編地を編成しながら行う。図１４（ｂ）に示すように、各筒状編地への給糸は、前後左右の襠部１４ＬＦ，１４ＬＲ，１４ＲＦ，１４ＲＢの編地によって区分される４つの区間に分けて、引返し編みに使用した給糸口２１とは別の給糸口２５，２６，２７，２８から編糸をそれぞれ供給する。襠部１４の襠編地と身頃１２や袖部１３の筒状編地とに異なる編糸を使用して編成することもできる。
【００５５】
図１５は、以上で説明している実施の各形態で編成される襠部４，１４，２４の形状を示す。図１５（ａ）は、図５や図１２（ｂ）に示すように、襠部の３コースに対して筒状編地の３コースを対応させて接合する場合を示す。図１５（ｂ）は、図２や図１２（ａ）に示すように、襠部の１コースに対して筒状編地の３コースを対応させて接合する場合を示す。この場合、襠部の中央部分が窪む曲面となる。図１５（ｃ）は、図７に示すように、襠部の前後で筒状編地とのコース数の比率を変える場合を示す。図１５（ｄ）は、図９に示すように、襠部の編幅に、前後でくり違いを設ける場合を示す。なお、図１１に示すようなセータ１１でも、左右の襠部１４Ｌ，１４Ｒの前後にくり違いを設けることができる。人体形状に合わせて、襠部１４Ｌ，１４Ｒも前側１４ＬＦ，１４ＲＦの幅が後側１４ＬＢ，１４ＲＢよりも大きくなるようにする方が好ましい。編み出し後、襠編地は、前襠編地と後襠編地とでそれぞれ編幅を減少させながら、大略的に菱形の形状となるように編成される。前襠編地と後襠編地とは一体的に形成され、境界部分には、後述する先行技術のような伏目を形成しないので、コース方向の伸びを充分に確保することができる。大略的に菱形の襠編地を形成しながら、筒状編地間を襠編地を介して接合するので、前後の襠編地と筒状編地との接合も円滑に行うことができ、接合部が伸びを阻害しないようにすることができる。
【００５６】
図１６は、以上で説明している実施の各形態で形成される襠部４，１４，２４の編目のウェール方向が上下方向となるように、（ａ）で示す。（ｂ）には、図１１のセータ１１で、身頃１２と袖１３との間に形成される襠部１４について、編目のウェール方向の関係を示す。（ｃ）には、特許文献１の先行技術によって形成される襠部３４での伏目３５の方向を示す。（ａ）に示すように、実施の形態での襠部４，１４，２４は、編出しの部分４Ｓ，１４Ｓ，２４Ｓに、各コースの編目が編成される。（ｃ）に示すように、先行技術の襠部３４では、身頃１２と袖部１３との間に伏目３５が形成される。この伏目３５は、身頃１２および袖部１３のコース方向がウェール方向となるように形成される。編地はコース方向には伸びやすいけれども、ウェール方向には伸びにくいので、図１６（ｂ）に示すように、袖部１３と身頃１２との間を大きく開くような場合、襠部１４であれば充分に広がることができる。特に、筒状編地が人体の上半身に着用される場合、伏目を形成しない襠編地は、筒状編地の袖と身頃との間に形成するので、セーターなどで、着用後に腕を充分に大きく上げることが可能となる。さらに、前述のいずれか１つの襠を有する筒状編地の編成方法は、人体などに着用し、腕や脚と胴体との間の大きな動きを許容して、良好な着用感が得られるようにすることができる編地を、無縫製で編成することができる。
【図面の簡単な説明】
【００５７】
【図１】本発明の実施の一形態としての襠を有する筒状編地の編成方法で形成されるニット製品の一例であるパンツ１での編地のレイアウトを示す図である。
【図２】図１のパンツ１を編成する際に、脚部３Ｌ，３Ｒの接合部分近傍で襠部４の編成を行いながら編地間の接合を行うための基本的な糸回しを示す図である。
【図３】図２に示す糸回しとともに、前後の針床間での目移しやラッキングを併用して、左右の脚部３Ｌ，３Ｒを襠部４を介して接合していく過程を示す図である。
【図４】図１のパンツ１の編成後の状態を示す正面図である。
【図５】図１のパンツ１を編成する際に、襠部４の編地の編成コース数と、襠部４に接合する脚部３Ｌ，３Ｒの部分の筒状編地の編成コース数との比率を、１：１とする糸回しの例を示す図である。
【図６】図５の糸回しで編成したパンツ１の編成後の状態を示す正面図である。
【図７】１のパンツ１を編成する際に、脚部３Ｌ，３Ｒの接合部分近傍で襠部４の編成を行いながら編地間の接合を行うための糸回しのさらに他の例を示す図である。
【図８】図７に示す糸回しとともに、前後の針床間での目移しやラッキングを併用して、左右の脚部３Ｌ，３Ｒを襠部４を介して接合していく過程を示す図である。
【図９】図１のパンツ１を編成する際に、脚部３Ｌ，３Ｒの接合部分近傍で襠部４の編成を行いながら編地間の接合を行うための糸回しのさらに他の例を示す図である。
【図１０】図９に示す糸回しとともに、前後の針床間での目移しやラッキングを併用して、左右の脚部３Ｌ，３Ｒを襠部４を介して接合していく過程を示す図である。
【図１１】本発明の実施の他の形態としての襠を有する筒状編地の編成方法で形成されるニット製品の一例であるセータ１１での編地のレイアウトを示す図である。
【図１２】図１１のセータ１１を編成する際に、左右の袖部１３Ｌ，１３Ｒの身頃１２への接合部分近傍で左右の襠部１４Ｌ，１４Ｒの編成を行いながら編地間の接合を行うための基本的な糸回しを示す図である。
【図１３】図１２に示すような糸回しで接合部が編成されるセータ１１の概略的な形状を示す正面図である。
【図１４】本発明の実施のさらに他の形態としての襠を有する筒状編地の編成方法での襠の形成段階を示す図である。
【図１５】本発明の実施の各形態で編成される襠部４，１４，２４の形状を示す図である。
【図１６】本発明の実施の形態で形成される襠部４，１４，２４の編目の方向を、先行技術によって形成される襠部３４の編目の方向と比較して示し、セータ１１の身頃１２と袖部１３との間で襠部１４が拡げられている状態を示す図である。
【図１７】横編機によって編成される編地のコース方向とウェール方向とを示す図である。
【符号の説明】
【００５８】
１  パンツ
２  胴部
３  脚部
４，１４，２４  襠部
５，１５  アーチ
１１  セータ
１２  身頃
１３  袖部
２０  編糸
２１，２５，２６，２７，２８  給糸口
【図１】
2006152506.tif 000003
【図２】
2006152506.tif 000004
【図３】
2006152506.tif 000005
【図４】
2006152506.tif 000006
【図５】
2006152506.tif 000007
【図６】
2006152506.tif 000008
【図７】
2006152506.tif 000009
【図８】
2006152506.tif 000010
【図９】
2006152506.tif 000011
【図１０】
2006152506.tif 000012
【図１１】
2006152506.tif 000013
【図１２】
2006152506.tif 000014
【図１３】
2006152506.tif 000015
【図１４】
2006152506.tif 000016
【図１５】
2006152506.tif 000017
【図１６】
2006152506.tif 000018
【図１７】
2006152506.tif 000019